(57)【要約】  前輪フレームと、関節型四辺形部によって前車部フレームに運動学的に接続された一対の前輪とを備えるモータ車両前車部であって、関節型四辺形部は、中間部ヒンジに対応して前車部フレームにヒンジ止めされ、かつ側部ヒンジの横方向端部で回動する直立部によって対向する横方向端部で互いに接続された、一対の交差部材を備え、前車部はさらに、各前輪に対応して、関連する回転軸を中心として前輪を回転可能に支持するように前輪の回転ピン（６８）に機械的に接続された前輪のスタブ車軸（５６）のための傾斜支持構造（７２）を備え、傾斜支持構造（７２）は、各直立部の上端部および下端部に対応して配置され、かつ共に平行な車輪のそれぞれの操舵軸（Ｓ´‐Ｓ´）を画定している操舵ヒンジ（７６、７６）によって、関節型四辺形部にヒンジ止めされている、モータ車両前車部。
2018526261.tif 000002
【特許請求の範囲】
【請求項１】
前輪フレーム（１６）と、
関節型四辺形部（２０）によって前車部フレーム（１６）に運動学的に接続された一対の前輪（１０´、１０´´）と
を備えるモータ車両の前車部（８）であって、
前記関節型四辺形部（２０）は、中間部ヒンジ（２８）に対応して前記前車部フレーム（１６）にヒンジ止めされた一対の交差部材（２４´、２４´´）を備え、
前記交差部材（２４´、２４´´）は、側部ヒンジ（５２）に対応して前記横方向端部（４０、４４）に対して回動する直立部（４８、４８´、４８´´）によって、対向する横方向端部（４０、４４）に対応して、互いに接続され、各直立部（４８´、４８´´）は、上端部（６０）および下端部（６４）から延在し、前記上端部（６０）は前記上部交差部材（２４´）に向かって回り、前記下端部（６４）は前記下部交差部材（２４´´）に向かって回り、
前記交差部材（２４´、２４´´）および前記直立部（４８）は、前記関節型四辺形部（２０）を画定し、
前記前車部（８）は、前記各前輪（１０´、１０´´）に対応して、関連する回転軸（Ｒ´‐Ｒ´、Ｒ´´‐Ｒ´´）を中心として前記前輪（１０´、１０´´）を回転可能に支持するように前輪（１０´、１０´´）の回転ピン（６８）に機械的に接続された各前輪（１０´、１０´´）のスタブ車軸（５６）のための傾斜支持構造（７２）を備え、
前記傾斜支持構造（７２）は、各直立部（４８´、４８´）の前記上端部（６０）および前記下端部（６４）に対応して配置された操舵ヒンジ（７６）によって、前記関節型四辺形部（２０）にヒンジ止めされ、
前記操舵ヒンジは、互いに平行な前記車輪（１０´、１０´´）のそれぞれの操舵軸（Ｓ´‐Ｓ´、Ｓ´´‐Ｓ´´）を画定していることを特徴とする、モータ車両の前車部（８）。
【請求項２】
前記操舵軸（Ｓ´‐Ｓ´、Ｓ´´‐Ｓ´´）は、それぞれ前記直立部（４８´、４８´´）の対称軸と一致する、請求項１に記載のモータ車両の前車部（８）。
【請求項３】
各車輪（１０´、１０´´）は、車輪の中心面（Ｒ´‐Ｒ´、Ｒ´´‐Ｒ´´）を備え、前記各車輪の中心面（Ｒ´‐Ｒ´、Ｒ´´‐Ｒ´´）は、各前輪（１０´、１０´´）の前記操舵軸（Ｓ´‐Ｓ´、Ｓ´´‐Ｓ´´）をそれぞれ通過する、請求項１または２に記載のモータ車両の前車部（８）。
【請求項４】
前記傾斜支持構造（７２）が、各車輪（１０´、１０´´）のリム（８４）によって区切られた空間（８０）内に完全に収容されている、請求項１〜３のいずれか一項に記載のモータ車両の前車部（８）。
【請求項５】
前記空間（８０）が、前記中間部ヒンジ（２８）を通過する前記前車部（８）の中心面（Ｍ‐Ｍ）に面している、請求項５に記載のモータ車両の前車部（８）。
【請求項６】
前記傾斜支持構造（７２）が、
専用のホイールアタッチメント（９４）に対応して前記前輪（１０´、１０´´）の前記回転ピン（６８）に接続されたガイドホイール（８８）と、
前記操舵ヒンジ（７６）によって前記関節型四辺形部（２０）にヒンジ止めされた支持ブラケット（９２）と
を備え、
前記ガイドホイール（８８）は、それぞれの傾斜軸（Ｂ‐Ｂ）を画定し、かつ前記ガイドホイール（８８）と前記支持ブラケット（９２）との間の回転‐並進接続を実現する少なくとも３つの傾斜ヒンジ（１００、１０５、１０６、１１０）によって、対向する軸方向上端部（９６）および軸方向下端部（９８）に対応して前記支持ブラケット（９２）にヒンジ止めされている、
請求項１〜５のいずれか一項に記載のモータ車両の前車部（８）。
【請求項７】
前記ガイドホイール（８８）、前記支持ブラケット（９２）および前記傾斜ヒンジ（１００、１０５、１０６、１１０）は、外周方向に閉じた傾斜支持構造（７２）を区切る、請求項６に記載のモータ車両の前車部（８）。
【請求項８】
各車輪（１０´、１０´´）の回転ピン（６８）は、前記外周方向に閉じた傾斜支持構造（７２）の内側に配置され、および／または、側部ヒンジ（５２）およびそれぞれの直立部（４８´、４８´´）は、前記外周方向に閉じた傾斜支持構造（７２）の内側に配置される、請求項７に記載のモータ車両の前車部（８）。
【請求項９】
前記傾斜支持構造（７２）は、第１の傾斜ヒンジ（１０５）および第２の傾斜ヒンジ（１０６）に対応して前記支持ブラケット（９２）および前記ガイドホイール（８８）に二重にヒンジ止めされた接続ロッド（１０４）を備える、請求項６、７または８に記載のモータ車両の前車部（８）。
【請求項１０】
前記傾斜支持構造（９）は、前記第３の傾斜ヒンジ（１１０）に対応して前記支持ブラケット（９２）および前記ガイドホイール（８８）にヒンジ止めされたプレート（１０８）を備える、請求項６、７、８または９に記載のモータ車両の前車部（８）。
【請求項１１】
前記傾斜ヒンジ（１００、１０５、１０６、１１０）は、各車輪（１０´、１０´´）の中心面（Ｒ´‐Ｒ´、Ｒ´´‐Ｒ´´）に垂直であり、かつ前記操舵ヒンジ（７６）によって画定された操舵軸（Ｓ´‐Ｓ´、Ｓ´´‐Ｓ´´）に垂直である前記傾斜軸（Ｂ‐Ｂ）に対応して、前記支持ブラケット（９２）および前記ガイドホイール（８８）にヒンジ止めされている、請求項６〜１０のいずれか一項に記載のモータ車両の前車部（８）。
【請求項１２】
前記ガイドホイール（８８）は、前記車輪（１０´、１０´´）用のサスペンションを実現するためにダンパ（１１６）とばね（１２０）とを含む直線的ガイドである、請求項６〜１１のいずれか一項に記載のモータ車両の前車部（８）。
【請求項１３】
前記ガイドホイール（８８）は、前記ダンパ（１１６）を収容するステム（１２４）と、前記ステム（１２４）と同軸に装着され、かつ前記ステム（１２４）に対して並進可能なケース（１２６）とを備え、前記ケース（１２６）は、車輪スタブ車軸（５６）を支持し、前記ばね（１２０）によって弾性的に影響を受ける、請求項６〜１２のいずれか一項に記載のモータ車両の前車部（８）。
【請求項１４】
前記ケース（１２６）は、前記ばね（１２０）と傾斜ヒンジ（１００、１０５、１０６、１１０）の１つとを支持および固定する付属物（１２８）を備える、請求項１３に記載のモータ車両の前車部（８）。
【請求項１５】
前記ガイドホイール（８８）は、外側ジャケット（１３２）を備え、前記外側ジャケット（１３２）には、前記スタブ車軸（５６）と、第１の傾斜ヒンジ（１０５）および第２の傾斜ヒンジ（１０６）に対応して前記ガイドホイール（８８）の前記支持ブラケット（９２）および前記外側ジャケット（１３２）に二重にヒンジ止めされた接続ロッド（１０４）とが接続され、前記外側ジャケット（１３２）は、ダンパ（１１６）およびばね（１２０）を内部に包囲し、前記外側ジャケット（１３２）は、スロット（１３６）によって軸方向に案内されるピン（１４０）を収容する前記スロット（１３６）を備え、前記ピン（１４０）は、第３の傾斜ヒンジ（１１０）を画定し、接続ロッド（１０４）または前記プレート（１０８）によって前記支持ブラケット（９２）に接続されている、請求項６〜１２のいずれか一項に記載のモータ車両の前車部（８）。
【請求項１６】
前記ピン（１４０）が、前記スロット（１３６）を介して前記ばね（１２０）の伸長または圧縮運動を案内するように、前記ばね（１２０）によって弾性的に影響を受ける、請求項１５に記載のモータ車両の前車部（８）。
【請求項１７】
前記外側ジャケット（１３２）と前記接続ロッド（１０４）または前記プレート（１０８）との間に、前記スロット（１３６）に沿った前記ピン（１４０）の動きの外部案内を実現するように、前記外側ジャケット（１３２）と同軸に装着されたカラー（１４４）が介在する、請求項１５または１６に記載のモータ車両の前車部（８）。
【請求項１８】
前記スロット（１３６）は、前記ガイドホイール（８８）の延出した延長部に対して平行に方向付けられ、特に前記スロット（１３６）は、各車輪（１０´、１０´´）の中心面（Ｒ´‐Ｒ´、Ｒ´´‐Ｒ´´）に垂直な面に沿って方向付けられる、請求項１５、１６または１７に記載のモータ車両の前車部（８）。
【請求項１９】
前記ガイドホイール（８８）は、外側ジャケット（１３２）を備え、前記外側ジャケット（１３２）には、スタブ車軸（５６）と、第１の傾斜ヒンジ（１０５）および第２の傾斜ヒンジ（１０６）に対応して前記ガイドホイール（８８）の前記支持ブラケット（９２）および前記外側ジャケット（１３２）に二重にヒンジ止めされた前記接続ロッド（１０４）とが接続され、前記外側ジャケット（１３２）は、ダンパ（１１６）および前記ばね（１２０）を内部に包囲し、前記外側ジャケット（１３２）は、前記スロット（１３６）によって軸方向に案内されるピン（１４０）を収容するスロット（１３６）を備え、前記ピン（１４０）は、前記外側ジャケット（１３２）の内側に収容されたスライダまたはスライドブッシュ（１４８）にヒンジ止めされ、前記第３の傾斜ヒンジ（１１０）を画定している、請求項６〜１２のいずれか一項に記載のモータ車両の前車部（８）。
【請求項２０】
前記ピン（１４０）は、前記支持ブラケット（９２）に対して固定されている、請求項１９に記載のモータ車両の前車部（８）。
【請求項２１】
前記スロット（１３６）は、前記ガイドホイール（８８）の延出した延長部に対して平行に方向付けられ、特に前記スロット（１３６）は、車輪（１０´、１０´´）の中心面（Ｒ´‐Ｒ´、Ｒ´´‐Ｒ´´）に垂直な面に沿って方向付けられる、請求項１９または２０に記載のモータ車両の前車部（８）。
【請求項２２】
前記ピン（１４０）が、ヒンジまたはボールジョイント（１５０）に対応して前記スライダまたは前記スライドブッシュ（１４８）にヒンジ止めされ、前記ヒンジまたはボールジョイント（１５０）が、前記傾斜支持構造（７２）の前記傾斜ヒンジ（１００、１１０）を画定している、請求項１９、２０または２１に記載のモータ車両の前車部（８）。
【請求項２３】
前記ピン（１４０）は、前記スロット（１３６）を介して前記ガイドホイール（８８）に挿入され、前記スロット（１３６）の反対側で、前記ピン（１４０）は、前記ガイドホイール（８８）を妨害することなく、前記ガイドホイール（８８）に対して揺動方向（Ｔ‐Ｔ）に平行にスライドするように、前記ガイドホイール（８８）の空洞（１５７）に収容されたヘッド（１５３）によって前記スライダまたはスライドブッシュ（１４８）に固定されている、請求項１９〜２２のいずれか一項に記載のモータ車両の前車部（８）。
【請求項２４】
前記スライダまたはスライドブッシュ（１４８）は、前記ガイドホイール（８８）によって画定された揺動軸（Ｔ‐Ｔ）に沿った前記車輪（１０´、１０´´）の揺動運動中に前記ピン（１４０）に対してカーソルまたは前記スライドブッシュ（１４８）の関連する傾斜を可能にするのに適した少なくとも１つの皿穴（１５１）を備える、請求項１９〜２３のいずれか一項に記載のモータ車両の前車部（８）。
【請求項２５】
前記前輪（１０´、１０´´）の各回転ピン（６８）が、前記関節型四辺形部（２０）の対応する前記直立部（４８、４８´、４８´´）の前記上端部（６０）と前記下端部（６４）との間に含まれている、請求項１〜２４のいずれか一項に記載のモータ車両の前車部（８）。
【請求項２６】
前記上部交差部材（２４´）および前記下部交差部材（２４´´）の前記横方向端部（４０、４４）が、前記直立部（４８´、４８´´）に形成された横方向座部（１５２）内に少なくとも部分的に収容される、請求項１〜２５のいずれか一項に記載のモータ車両の前車部（８）。
【請求項２７】
各ガイドホイール（８８）には、前記対応する車輪（１０´、１０´´）の制動手段（１５４）が固定されている、請求項６と組み合わせた請求項１〜２６のいずれか一項に記載のモータ車両の前車部（８）。
【請求項２８】
前記支持ブラケット（９２）には、モータ車両の関連するハンドルバーに運動学的に接続された前記制動手段（１５６）が固定されている、請求項６と組み合わせた請求項１〜２７のいずれか一項に記載のモータ車両の前車部（８）。
【請求項２９】
前記中間部ヒンジ（２８）および前記側部ヒンジ（５２）が互いに平行であり、また、前記中間部ヒンジ（２８）を通過する投影面（Ｐ）に関して前記操舵軸（Ｓ´‐Ｓ´、Ｓ´´‐Ｓ´´）が中間部ヒンジ軸（Ｗ‐Ｗ）および側部ヒンジ軸（Ｚ‐Ｚ）と角度（α）を特定し、前記角度（α）が８０°〜１２０°、好ましくは前記角度（α）が９０°〜１１０°であるように配向されている、請求項１〜２８のいずれか一項に記載のモータ車両の前車部（８）。
【請求項３０】
前記ヒンジ（２８、５２）は互いに平行であり、前記中間部ヒンジ（２８）を通過する前記投影面（Ｐ）に関して前記操舵軸（Ｓ´‐Ｓ´、Ｓ´´‐Ｓ´´）が前記中間部ヒンジ軸（Ｗ‐Ｗ）および前記側部ヒンジ軸（Ｚ‐Ｚ）と９０°の角度（α）を特定するように、前記操舵軸（Ｓ´‐Ｓ´、Ｓ´´‐Ｓ´´）に対して直交である、請求項１〜２９のいずれか一項に記載のモータ車両の前車部（８）。
【請求項３１】
前記操舵軸（Ｓ´‐Ｓ´、Ｓ´´‐Ｓ´´）は、前記中間部ヒンジ（２８）を通過する前記投影面（Ｐ）に関して、地面に垂直な鉛直方向（Ｎ‐Ｎ）に対して４°〜２０°、好ましくは８°〜１６°の操舵角（β）で傾斜している、請求項１〜３０のいずれか一項に記載のモータ車両の前車部（８）。
【請求項３２】
前記中間部ヒンジ（２８）および前記側部ヒンジ（５２）は、地面に対して平行である、すなわち地面に垂直な鉛直方向（Ｎ‐Ｎ）に垂直である前記中間部ヒンジ軸（Ｗ‐Ｗ）および前記側部ヒンジ軸（Ｚ‐Ｚ）に従って傾斜している、請求項１〜３１のいずれか一項に記載のモータ車両の前車部（８）。
【請求項３３】
前記中間部ヒンジ（２８）および前記側部ヒンジ（５２）が、互いに平行な前記中間部ヒンジ軸（Ｗ‐Ｗ）および前記側部ヒンジ軸（Ｚ‐Ｚ）に従って配向されている、請求項１〜３２のいずれか一項に記載のモータ車両の前車部（８）。
【請求項３４】
後車軸の前記駆動輪と、請求項１〜３３のいずれか一項に記載の前車部（８）とを有する、モータ車両（４）。
【請求項３５】
前記モータ車両（４）が、前記後車軸（１２）に２つの後部駆動輪（１４）を備える、請求項３４に記載のモータ車両（４）。
【請求項３６】
前記後車軸（１２）の２つの前記後部駆動輪（１４）が、請求項１〜３３のいずれか一項に記載の関節型四辺形部（２０）によって、共に後車軸フレームに接続されている、請求項３５に記載のモータ車両（４）。
【発明の詳細な説明】
【技術分野】
【０００１】
本発明は、チルトモータ（角度調節なモータ）車両の前車部およびそのモータ車両に関する。
【背景技術】
【０００２】
周知のように、後部駆動輪と、２つの操舵および傾斜輪とを備えた（すなわち前部で転がりまたは傾斜する）３輪モータ車両が当業界には存在する。
【０００３】
したがって、後輪はトルクを提供して牽引を可能にし、一方、対になった前輪は車両の方向性を提供することを意図している。
【０００４】
２つの後輪の代わりに２つの前輪を使用することにより、トルク伝達のための差動装置の使用を回避する。このようにして、後車軸におけるコストと重量の削減を達成することができる。
【０００５】
前車部にある対になった車輪は、操舵に加えて、傾斜および転がりが可能である。このように、後車軸に２つの車輪を備えた３輪車両と比較して、前車部に２つの車輪を備えた車両は、バイクのようにコーナリング時に傾斜することができるため、実際のバイクと同等である。
【０００６】
しかし、前車部に２つの対になった車輪を有するこのような車両は、２輪のみのモータ車両と比較して、自動車と同様に前輪が地面に二重に置かれていることによって、より大きな安定性が確保されている。
【０００７】
前輪は、運動学的機構によって互いに運動学的に接続されており、これにより、例えば関節型四辺形部を介在させて、同期的かつ鏡面的な転がりおよび／または操舵を可能にする。
【０００８】
前輪の操舵角に関しては、例えばコーナリング時に外輪がより開いたままである車型の操舵を行う場合などに、前輪間で異なる操舵角を与えることも可能である。
【０００９】
このように、チルト３輪モータ車両（角度調節可能な３輪モータ車両）は、２輪モータサイクルのハンドリング性と同時に４輪車両の安定性と安全性をユーザに提供するように設計される。
【００１０】
実は、より大きな安定性には、２輪モータ車両と比較して必然的に車両の構造を重くする（第３の車輪とそれに関する運動学的機構など）追加要素の存在が必要であるため、予め定められた２つの目標は相反する。
【００１１】
さらに、３輪「のみ」の存在では、４輪車両の安定性およびロードホールディングを保証できない。
【００１２】
したがって、安定性とハンドリング性、ならびに信頼性と低コストを確保しつつ、これらの相反する目的を取り持つことができる３輪車両を開発することが不可欠である。
【００１３】
このような目的を達成するためには、前輪の操舵および転がりまたは傾斜動作の支持を担う、フレームまたは前車部の前部の特定の幾何形状を開発しなければならない。
【発明の概要】
【発明が解決しようとする課題】
【００１４】
前述の問題を解決するために、今日まで、多くの解決策が３輪車両の技術において採用されており、そのうちの２つは前車部に基づいている。
【００１５】
先行技術のそのような解決策は、上記の安定性およびハンドリング性に対する必要性を最適化することができない。
【００１６】
したがって、先行技術に関して言及した欠点および制限を解決する必要があると考えられる。
【課題を解決するための手段】
【００１７】
この要件は、請求項１に記載のモータ車両前車部および請求項３４に記載のモータ車両によって満たされる。
【００１８】
本発明のさらなる特徴および利点は、その好ましいおよび非限定的な実施形態の以下の記載からより明白に理解されるであろう。
【図面の簡単な説明】
【００１９】
【図１】本発明の一実施形態によるモータ車両の前車部の断面図を示す。
【図２ａ】本発明の一実施形態による前車部のコンポーネントの異なる角度から見た側面図を示す。
【図２ｂ】本発明の一実施形態による前車部のコンポーネントの異なる角度から見た側面図を示す。
【図２ｃ】本発明の一実施形態による前車部のコンポーネントの異なる角度から見た側面図を示す。
【図２ｄ】本発明の一実施形態による前車部のコンポーネントの異なる角度から見た側面図を示す。
【図３】本発明のさらなる実施形態によるモータサイクルの前車部の斜視図を示す。
【図４ａ】図３の前車部のコンポーネントの異なる角度からの側面図を示す。
【図４ｂ】図３の前車部のコンポーネントの異なる角度からの側面図を示す。
【図４ｃ】本発明の一実施形態による前車部のコンポーネントの異なる角度からの側面図を示す。
【図４ｄ】本発明の一実施形態による前車部のコンポーネントの異なる角度からの側面図を示す。
【図５】本発明のさらなる実施形態によるモータサイクルの前車部の斜視図である。
【図６ａ】図５の前車部のコンポーネントの異なる角度からの側面図を示す。
【図６ｂ】図５の前車部のコンポーネントの異なる角度からの側面図を示す。
【００２０】
【図６ｃ】図５の前車部のコンポーネントの異なる角度からの側面図を示す。
【図６ｄ】図５の前車部のコンポーネントの異なる角度からの側面図を示す。
【００２１】
【図６ｅ】ばねの圧縮構成における図６ａ〜図６ｄのコンポーネントの異なる角度からの図を示す。
【図６ｆ】ばねの圧縮構成における図６ａ〜図６ｄのコンポーネントの異なる角度からの図を示す。
【図６ｇ】ばねの圧縮構成における図６ａ〜図６ｄのコンポーネントの異なる角度からの図を示す。
【図７】本発明によるコンポーネントガイドホイールの側面図である。
【図８】図７のＶＩＩＩ−ＶＩＩＩ断面に沿った、図７のコンポーネントの断面図を示す。
【図９】異なる角度からの、図７のコンポーネントであるガイドホイールの側面図である。
【図１０】図９の断面Ｘ−Ｘに沿った、図９のハブの断面図を示す。
【図１１】図７のガイドホイールの一部のさらなる側面図と断面図を示す。
【図１２】図７のガイドホイールのさらなるコンポーネントの様々な図を示す。
【発明を実施するための形態】
【００２２】
以下に説明する実施形態に共通の要素または要素の部分は、同じ参照番号を使用して示す。
【００２３】
前述の図を参照すると、参照番号４は、本発明によるモータ車両の概略の全体図を示す。
【００２４】
本発明の目的のためには、モータ車両という用語は、少なくとも３輪、すなわち以下によりよく説明するように２つの整列した車輪と、少なくとも１つの後輪とを有する任意のモータサイクルを包含する、広範な意味で考慮する必要があることを指摘しなければならない。したがって、このような定義は、前車部に２輪を有し、後車軸に２輪を有する、いわゆる４輪オートバイをも含む。
【００２５】
モータ車両４は、少なくとも２つの前輪１０、１０´、１０´´を支持する前車部８から、１つ以上の後輪（図示せず）を支持する後車軸まで延在するフレーム６を備える。
【００２６】
左前輪１０´と右前輪１０´´とを区別することが可能であり、左１０´および右１０´´の定義は純粋に形式的なものであり、車両の運転者に関連して意味する。車輪は、モータ車両を運転する運転者の観察点と比較して、モータ車両の中心面Ｍ‐Ｍの左右に配置される。
【００２７】
以下の説明において、また図面においても、車両を運転する運転者の観察点と比較して前車部の左右のコンポーネントをそれぞれ示すために、引用符´および´´を用いて中心面Ｍ‐Ｍに関する前車部の対称または鏡面要素に言及する。
【００２８】
本発明の目的のために、モータ車両のフレーム６は、任意の形状、サイズであってもよく、例えば、格子タイプ、ボックスタイプ、クレードル、シングルまたはダブルなどであってもよい。
【００２９】
モータ車両のフレーム６は、一体または複数の部品であり得る。例えば、モータ車両のフレーム６は後車軸フレームと相互接続し、後車軸フレームは、１つ以上の後部駆動輪を支持する振動する後部フォーク（図示せず）を備えていてもよい。
【００３０】
後部振動フォークは、直接ヒンジによって、またはレバー機構および／または中間フレームの介在によってフレーム６に接続されてもよい。
【００３１】
モータ車両前車部８は、前車部フレーム１６と、関節型四辺形部２０によって前車部フレーム１６に運動学的に接続された一対の前輪１０とを備える。
【００３２】
関節型四辺形部２０は、中間部ヒンジ２８に対応して前車部フレーム１６にヒンジ止めされた一対の交差部材２４を備える。
【００３３】
中間ヒンジ部２８は、互いに平行な中間部ヒンジ軸を識別する。
【００３４】
例えば、中間部ヒンジは、長手方向Ｘ‐Ｘまたはモータ車両の走行方向を通る中心面Ｍ‐Ｍを跨ぐように配置されたフロントビーム３２に装着されている。
【００３５】
例えば、モータ車両４のハンドルバー（図示せず）に接続された操舵機構は、公知の方法でモータ車両４のフレーム６の操舵チューブ内に旋回するように挿入された操舵コラム上で回動する。
【００３６】
交差部材２４は、対向する横方向端部４０、４４の間で主横方向Ｙ‐Ｙに延在する。
【００３７】
特に、交差部材２４は、側部ヒンジ５２に対応して横方向端部４０、４４に対して回動する直立部４８によって、対向する横方向端部４０、４４に対応して互いに接続されている。
【００３８】
一実施形態では、交差部材２４、２４´、２４´´は、フロントビーム３２に対して片持ちに装置される。
【００３９】
交差部材２４および直立部４８は、関節型四辺形部２０を画定する。具体的には、四辺形２０は、２つの交差部材２４、すなわち上部交差部材２４´と下部交差部材２４´´とを備え、上部交差部材２４´は関連するハンドルバーの側部に面し、下部交差部材２４´´はモータ車両４を支持する地面に面している。
【００４０】
交差部材２４´、２４´´は、形状、材質、大きさにおいて必ずしも互いに同一である必要はない。各交差部材２４は一体部品、または例えば溶接、ボルト、リベットなどによって機械的に取り付けられた２つ以上の部品で作ることができる。
【００４１】
２つの直立部４８があり、特に左側直立部４８´と右側直立部４８´´がある。
【００４２】
左右の直立部４８´、４８´´の定義は純粋に形式的なものであり、車両の運転者に関連して意味する。左右の直立部４８´、４８´´は、モータ車両を運転する運転者の観察点と比較してモータ車両の中心面Ｍ‐Ｍの左右に配置されている。
【００４３】
側部ヒンジ５２は、互いに平行であり、それぞれの側部ヒンジ軸Ｚ‐Ｚを画定する。
【００４４】
好ましくは、中間部ヒンジ２８および側部ヒンジ５２は、互いに平行な中間部ヒンジ軸Ｗ‐Ｗおよび側部ヒンジ軸Ｚ‐Ｚに沿って配向される。
【００４５】
左右の直立部４８´、４８´´は、左右の前輪１０´、１０´´をそれぞれの操舵軸Ｓ´‐Ｓ´、Ｓ´´‐Ｓ´´を中心として回転可能にそれぞれ支持する。操舵軸Ｓ´‐Ｓ´、Ｓ´´‐Ｓ´´は互いに平行である。
【００４６】
各直立部４８は、上端部６０から下端部６４まで延在する。
【００４７】
上端部６０は上部交差部材２４´に面しており、下端部６４は下部交差部材２４´´に面している。各前輪は、前輪１０のスタブ車軸５６を備えている。
【００４８】
一実施形態によれば、各スタブ車軸５６は、前輪１０の回転ピン６８に機械的に接続され、前輪１０を関連する回転軸Ｒ‐Ｒを中心に回転可能に支持する。
【００４９】
前輪１０の各回転ピン６８は、関節型四辺形部２０の対応する直立部４８の上端部６０と下端部６４との間に含まれる。
【００５０】
可能な実施形態によれば、ヒンジ２８およびヒンジ５２は互いに平行であり、操舵軸Ｓ´‐Ｓ´、Ｓ´´‐Ｓ´´に垂直である。言い換えれば、一実施形態によれば、中間部ヒンジ２８を通過する投影面Ｐと比較して、操舵軸Ｓ´‐Ｓ´、Ｓ´´‐Ｓ´´は、中間部ヒンジ軸Ｗ‐Ｗおよび横ヒンジ軸と９０度の角度αである。
【００５１】
可能な実施形態によれば、角度αは８０°〜１２０°度であり、好ましくは角度αは９０°〜１１０°であり、さらに好ましくは角度αは１００°に等しい。
【００５２】
投影面Ｐに関する操舵軸Ｓ´‐Ｓ´、Ｓ´´‐Ｓ´´は、地面に垂直な鉛直方向Ｎ‐Ｎに対して４°〜２０°、より好ましくは８°〜１６°の操舵角βで傾斜していてもよい。
【００５３】
さらに別の実施形態によれば、ヒンジ２８および５２は、地面に平行な中間部ヒンジ軸Ｗ‐Ｗおよび横ヒンジ軸Ｚ‐Ｚ側、すなわち投影面Ｐに関して鉛直方向Ｎ‐Ｎに垂直に傾斜するように設けることも可能であり、この構成では、角度βは０°に等しい。
【００５４】
さらに、図示されているように、ヒンジ２８およびヒンジ５２が操舵軸Ｓ´‐Ｓ´、Ｓ´´‐Ｓ´´に対して垂直でないように設けることも可能である。実際、上述のように、中間部ヒンジ２８を通る投影面Ｐに関して操舵軸Ｓ´‐Ｓ´、Ｓ´´‐Ｓ´´および中間部ヒンジ軸Ｗ‐Ｗおよび側部ヒンジ軸Ｚ‐Ｚの間に画定された角度αは８０°〜１２０°の間に含まれる。
【００５５】
中間部ヒンジ軸Ｗ‐Ｗおよび側部ヒンジ軸Ｚ‐Ｚの地面への平行度は、転がり運動において、曲線に対して内側の車輪がほぼ鉛直に上昇することを意味し、（地面から伝達される）水平方向の制動力から車輪の転がり運動を切り離し、モータ車両の底部に向かってあまり場所を取らないという二重の利点を有する。
【００５６】
中間部軸Ｗ‐Ｗおよび側部軸Ｚ‐Ｚを操舵軸Ｓ´‐Ｓ´、Ｓ´´‐Ｓ´´に対して傾斜させることにより、静止時の静止状態では、中間部ヒンジ軸Ｗ‐Ｗおよび側部ヒンジ軸Ｚ‐Ｚは地面に対して平行であり、制動状態では、したがって前輪１０´、１０´´のサスペンションが圧縮された状態では、中間部ヒンジ軸Ｗ‐Ｗおよび側部ヒンジ軸Ｚ‐Ｚは地面に対して実質的に平行な状態へと傾斜して動くことに留意されたい。例えば、静状態において、中間部ヒンジ軸Ｗ‐Ｗおよび側部ヒンジ軸Ｚ‐Ｚは、水平方向に対してゼロとは異なる角度βになり（水平方向に対して垂直な鉛直方向で形成される角度に一致する）、制動時および最大圧縮条件では、この角度はゼロになる傾向がある。
【００５７】
制動中に、中間部ヒンジ軸Ｗ‐Ｗおよび側部ヒンジ軸Ｚ‐Ｚが地面と実質的に平行に配置されているとき、水平であり、したがって地面に平行な制動力は、地面に実質的に垂直すなわち鉛直である車輪の行程運動に伴うコンポーネントを生成しないため、車輪の跳躍は回避される。
【００５８】
さらに、直立部４８´、４８´´の上端部６０および下端部６４は、それぞれの前輪１０´、１０´´の回転ピン６８の上下に配置され、先行技術の解決策で生じるように完全には覆っていないことに留意されたい。
【００５９】
言い換えれば、前輪１０´、１０´´の各回転ピン６８は、関節型四辺形部２０の対応する直立部４８、４８´、４８´´の上端部６０と下端部６４との間に含まれる。
【００６０】
これは、サスペンションを含む各車輪１０´、１０´´と関節型四辺形部との間の接続の剛性が、先行技術の前述の解決策でもたらされるよりも剛直なレベルであり、制動力または非対称的な衝撃によって前輪１０´、１０´´の交互共振が優勢になり得る可能性をより少なくするのに役立つことを意味する。したがって、本発明は、軽量であるが安全で正確でもあり、前車部において運転者に安全感を伝える車両を提供するのに全般的に役立ち、振動やハンドルバーのわずかな動きをユーザに伝達しない。
【００６１】
さらに、車輪の鉛直方向寸法における関節型四辺形部の上部交差部材２４´と下部交差部材２４´´の位置決めは、前車部の重心、したがって車両の重心を下方に移動させ、車両の動的挙動を改善することを可能にする。
【００６２】
有利には、前車部８は、各前輪１０´、１０´´に対応して、関連する回転軸Ｒ‐Ｒを中心として前輪１０´、１０´´を回転可能に支持するように前輪１０´、１０´´の回転ピン６８に機械的に接続された各前輪１０´、１０´´のスタブ車軸５６用の傾斜支持構造７２を備える。
【００６３】
有利には、傾斜支持構造７２は、各直立部４８´、４８´´の上端部６０および下端部６４に対応して配置された操舵ヒンジ７６によって、関節型四辺形部２０にヒンジ止めされており、操舵ヒンジは、互いに平行な車輪１０´、１０´´のそれぞれの操舵軸Ｓ´‐Ｓ´、Ｓ´´‐Ｓ´´を画定している。
【００６４】
操舵軸Ｓ´‐Ｓ´、Ｓ´´‐Ｓ´´は、それぞれ、直立部４８´、４８´´の対称軸と一致することが好ましい。
【００６５】
各車輪１０´、１０´´は、車輪のＲ´‐Ｒ´、Ｒ´´‐Ｒ´´の中心面を含み、車輪のＲ´‐Ｒ´、Ｒ´´‐Ｒ´´の中心面は、各前輪１０´、１０´´の操舵軸Ｓ´‐Ｓ´、Ｓ´´‐Ｓ´´を通過する。さらなる実施形態では、各操舵軸Ｓ´‐Ｓ´、Ｓ´´‐Ｓ´´と車輪Ｒ´‐Ｒ´、Ｒ´´‐Ｒ´´の関係する中心面との間にオフセットまたは横方向オーバーハングが設けられる。そのような横方向オーバーハングは、０〜２ｃｍ、より好ましくは０〜１ｃｍであり、さらに好ましくは、横方向オーバーハングは０．７ｃｍに等しい。
【００６６】
好ましくは、傾斜支持構造７２は、各車輪１０´、１０´´のリム８４によって区切られた空間（容積）８０内に完全に収容されている。
【００６７】
好ましくは、空間８０は、中間部ヒンジ２８を通過する前車部８の中心面Ｍ‐Ｍに対して面している。言い換えると、スタブ車軸５６は、モータ車両の中心面Ｍ‐Ｍに向かって内側に面しており、スタブ車軸５６のスピンドルに関連する関係のコンポーネントは外部の観察者には直接見えない。
【００６８】
好ましい実施形態によれば、傾斜支持構造７２は、前輪１０´、１０´´のスタブ車軸５６に接続されたガイドホイール８８と、操舵ヒンジ７６によって関節型四辺形部２０にヒンジ止めされた支持ブラケット９２とを備える。
【００６９】
ガイドホイール８８は、回転ピン６８に接続され、専用の車輪アタッチメント９４に対応する対応する車輪１０´、１０´´の回転ピン６８を回転可能に支持する。
【００７０】
ガイドホイール８８は、対向する軸方向上端部９６および軸方向下端部９８の間に延在し、好ましくは、対向する軸方向端部９６、９８において、ガイドホイール８８はフレームへの接続要素に機械的に接続される。
【００７１】
例えば、ガイドホイール８８は、ガイドホイール８８の対向する軸方向上端部９６および軸方向下端部９８で、少なくとも３つの傾斜ヒンジ１００によって支持ブラケット９２にヒンジ止めされ、少なくとも３つの傾斜ヒンジ１００は、それぞれの傾斜軸Ｂ‐Ｂを画定し、ガイドホイール８８と支持ブラケット９２との間に回転並進接続を実現する。
【００７２】
好ましくは、ガイドホイール８８、支持ブラケット９２および傾斜ヒンジ１００は、周方向に閉じた傾斜構造支持部７２を画定する。
【００７３】
周方向に閉じた構造という用語は、車輪Ｒ´‐Ｒ´、Ｒ´´‐Ｒ´´の中心面上のガイドホイール８８、支持ブラケット９２および傾斜ヒンジ１００の突出部が、閉じた多角形を画定し、または閉じた外周を有することを意味することが理解される。
【００７４】
好ましくは、各車輪１０´、１０´´の回転ピン６８は、周方向に閉じた傾斜支持構造７２および／または側部ヒンジ５２の内側に配置され、それぞれの直立部４８は、周方向に閉じた傾斜支持構造７２の内側に配置される。
【００７５】
一実施形態によれば、傾斜支持構造７２は、第１の傾斜ヒンジ１０５および第２の傾斜ヒンジ１０６で支持ブラケット９２およびガイドホイール８８に二重にヒンジ止めされた、接続ロッド１０４を備える。
【００７６】
一実施形態によれば、傾斜支持構造７２は、第３の傾斜ヒンジ１１０で支持ブラケット９２およびガイドホイール８８にヒンジ止めされた、プレート１０８を備える。
【００７７】
傾斜ヒンジ１００、１０５、１０６、１１０は、各車輪１０´、１０´´の中心面Ｒ´‐Ｒ´、Ｒ´´‐Ｒ´´に垂直であり、かつ操舵ヒンジ７６によって画定された操舵軸Ｓ´‐Ｓ´、Ｓ´´‐Ｓ´´に垂直である傾斜軸Ｂ‐Ｂで、支持ブラケット９２およびガイドホイール８８にヒンジ止めされている。
【００７８】
好ましくは、ガイドホイール８８は、各車輪１０´、１０´´のサスペンションを実現するためのダンパ１１６およびばね１２０を備える直線的ガイドである。このような直線のガイドホイール８８は、各車輪１０´、１０´´のための揺動軸Ｔ‐Ｔを画定する。
【００７９】
一実施形態によれば、ガイドホイール８８は、ダンパ１１６を収容するステム１２４と、ステム１２４と同軸に装着され、ステム１２４に対して並進可能なケース１２６とを備え、ケース１２６は、対応する車輪１０´、１０´´のスタブ車軸５６を支持し、ばね１２０によって弾性的に影響を受ける。
【００８０】
例えば、ケース１２６は、ばね１２０の、および傾斜ヒンジ１００、１０５、１０６、１１０の１つの支持および固定付属物１２８を備える。
【００８１】
一実施形態によれば、ガイドホイール８８は、外側ジャケット１３２を備え、外側ジャケット１３２には、スタブ車軸５６と、第１の傾斜ヒンジ１０５および第２の傾斜ヒンジ１０６に対応してガイドホイール８８の支持ブラケット９２および外側ジャケット１３２に二重にヒンジ止めされた接続ロッド１０４とが接続されている。さらに、外側ジャケット１３２は、ダンパ１１６およびばね１２０を内部に包囲し、外側ジャケット１３２は、スロット１３６によって軸方向に案内されるピン１４０を収容するスロット１３６を備え、ピン１４０は、第３の傾斜ヒンジ１１０を画定し、接続ロッド１０４またはプレート１０８によって支持ブラケット９２に接続されている。
【００８２】
ピン１４０は、ばね１２０の弾性的な影響を受けて、スロット１３６を介してばね１２０の伸長または圧縮運動を案内する。
【００８３】
例えば、外側ジャケット１３と接続ロッド１０４またはプレート１０８との間には、外側ジャケット１３２に同軸に装着されたカラー１４４が介在し、スロット１３６に沿ったピン１４０の動きに対する外側ガイドを実現する。
【００８４】
スロット１３６は、ガイドホイール８８の主延長部に平行に方向付けられ、特にスロット１３６は、各車輪１０´、１０´´の中心面Ｒ´‐Ｒ´、Ｒ´´‐Ｒ´´に垂直な面に沿って方向付けられる。
【００８５】
本発明の別の実施形態によれば、ガイドホイール８８は、外側ジャケット１３２を備え、外側ジャケット１３２には、スタブ車軸５６と、第１の傾斜ヒンジ１０５および第２の傾斜ヒンジ１０６に対応してガイドホイール８８の支持ブラケット９２および外側ジャケット１３２に二重にヒンジ止めされた接続ロッド１０４とが接続され、外側ジャケット１３２は、ダンパ１１６およびばね１２０を内部に包囲し、外側ジャケット１３２は、スロット１３６によって軸方向に案内されるピン１４０を収容するスロット１３６を備える。ピン１４０は、次に、外側ジャケット１３２の内側に収容され、かつ第３の傾斜ヒンジ１１０を画定する、スライダまたはスライドブッシュ１４８にヒンジ止めされる。
【００８６】
例えば、ピン１４０は、ヒンジまたはボールジョイント１５０でスライダまたはスライドブッシュ１４８にヒンジ止めされる。
【００８７】
ヒンジまたはボールジョイント１５０は、第３の傾斜ヒンジ１００、１１０を画定する。
【００８８】
例えば、ピン１４０はスロット１３６を介してガイドホイール８８に挿入され、スロット１３６の反対側で、ピン１４０は、ガイドホイール８８の空洞１５７に収容されたヘッド１５３によってスライダまたはスライドブッシュ１４８に固定され、したがって、ガイドホイール８８を妨害することなく、またスロット１３６の正反対の第２のスロットを通って外側ジャケットを妨げることなく、ガイドホイール８８に対して揺動方向Ｔ‐Ｔと平行にスライドする。
【００８９】
好ましくは、スライダまたはスライドブッシュ１４８は、ガイドホイール８８によって画定された揺動軸Ｔ‐Ｔに沿った車輪１０´、１０´´の揺動運動中にピン１４０に対してカーソルまたはスライドブッシュ１４８の関連する傾斜を可能にするのに適した少なくとも１つの皿穴１５１を備える。
【００９０】
皿穴１５１によって可能になるこのような関連する傾斜は、ピン１４０、スライダまたはスライドブッシュ１４８とガイドホイール８８の外側ジャケット１３２との間の衝突または干渉を防止する。
【００９１】
ピン１４０は、好ましくは、支持ブラケット９２に対して固定されている。
【００９２】
このような実施形態では、スロット１３６は、ガイドホイール８８の主延長部に平行に方向付けられ、特に、スロット１３６は、各車輪１０´、１０´´の中心面Ｒ´‐Ｒ´、Ｒ´´‐Ｒ´´に平行に方向付けられる。
【００９３】
ガイドホイール８８は、通常のショックアブソーバとモータサイクルのフォークのステムとの間の一種のハイブリッド構造を構成することに留意されたい。この専用の構造によってフォークライニングの曲げ強さを組み合わせることが可能になり、ここから非常にコンパクトなキャリパー、接続ロッドおよび車輪ピンリンク機構を継承することもできる。このコンパクトさは、スロット１３６の存在により達成される。
【００９４】
実際に、スロット１３６がなければ、ストロークに対応する部分を関連するライニング内に挿入しなければならないため、圧縮中に固定されたままである軸方向上端部９６に対応する取り付け点をかなり高くする必要がある。
【００９５】
さらに、ばね１２０は空気中で機能し、従来のフォークのように油中では機能しないため、スロット１３６は心配なく開けることができることに留意されたい。スライダまたはスライドブッシュ１４８は、従来のフォークのステムとライニングとの間で起こるように密閉されておらず、例えばプラスチック製の単純なリングであり、解決策の単純さと経済性で有利になるように、天候に曝されて機能する。
【００９６】
好ましくは、関節型四辺形部２０の上部交差部材２４´および下部交差部材２４´´の横方向端部４０、４４は、直立部４８´、４８´´の内側に形成された横方向座部１５２の内側に少なくとも部分的に収容される。
【００９７】
好ましくは、各ガイドホイール８８には、対応する車輪１０´、１０´´の制動手段１５４が取り付けられている。
【００９８】
例えば、制動手段１５４は、ディスクブレーキキャリパを備えていてもよい。本発明の目的のために、制動手段１５４は、いかなるタイプのものであってもよい。好ましくは、制動手段１５４は、各車輪１０´、１０´´のリム８４によって画定された空間８０の内側に適合するように位置決めされ、かつ寸法決めされる。
【００９９】
好ましくは、ガイドホイール８８は、例えばライニング１２６または外側ジャケット１３２上に作られた専用のアイレット１５５を備え、制動手段１５４をガイドホイール８８に取り付けることを可能にする。
【０１００】
さらに、ガイドホイール８８のライニング１２６または外側ジャケット１３２には、ホイールアタッチメント９４が各車輪１０の回転ピン６８を回転可能に支持するように作られている。
【０１０１】
好ましくは、支持ブラケット９２には、モータ車両の関連するハンドルバーに運動学的に接続された固定操舵タイロッド１５６が取り付けられている。例えば、操舵タイロッド１５６は、ヒンジまたはボールジョイント１６０を介在させて各ブラケット９２に接続することができる。
【０１０２】
上述したように、本発明によるモータ車両４は、少なくとも１つの後部駆動輪１４を備え、可能な実施形態によれば、車両は、後車軸１２に２つの後部駆動輪１４を有する。
【０１０３】
例えば、モータ車両が４輪車であるような実施形態では、後車軸１２の後部駆動輪１４は、前輪１０に関して上述したような関節型四辺形部２０によって、互いにおよび後車軸フレーム１３に接続される。
【０１０４】
この説明から理解されるように、本発明は、先行技術に言及された欠点を克服することを可能にする。
【０１０５】
有利には、本発明は、従来技術と比較して車両の動的挙動を改善する。
【０１０６】
実際には、前輪の支持の特定の配置およびアーキテクチャにより、前輪の瞬時回転の中心を長手方向に対してかなり後方に移動させることが可能になる。
【０１０７】
これにより、従来型の伸縮自在のステムフォークを使用して得られたものに匹敵するサスペンションの沈み込みをより良好に制御することができる。言い換えれば、サスペンションの沈み込みは均一で漸進的であり、車両の前車部は運転者に安定感と自信を伝える。
【０１０８】
さらに、前輪の支持構造の傾斜式の組立体は、ガイドホイールに収容されたばねとダンパを備えるサスペンションが応力を受けて曲がることを防止し、このことはサスペンションのライニングとステムとの間の相対滑りを容易にし、ジャミング現象を防止する。したがって、傾斜によって、サスペンションがフレームに対する車輪の揺動運動に追従し、撓むことなく、したがってジャミングなしで傾斜することができるため、サスペンションの曲がりおよびジャミングを埋め合わせるためのサスペンションのオーバーサイズを回避することが可能となる。
【０１０９】
この影響は制動時にさらに明らかであり、関与する相当の力でサスペンションが再び撓む傾向がなく、サスペンションはそれ自体が自由に傾斜、延出および圧縮することができ、アスファルトの粗さを写し取って前車部における安全感と自信を運転者に伝える。
【０１１０】
曲げ荷重に耐える必要がないため、より小さく軽いサスペンションを使用することができる。
【０１１１】
サスペンションのコンポーネントの寸法が小さくなると、前車部の質量が減少し、したがって傾斜する車両のハンドリング性が良好になり、傾くときに下がる性質が改善される。
【０１１２】
また、図示されているように、車輪の操舵軸は、その回転ピンに比べて長手方向でかなり後方にある。
【０１１３】
このようにして、操舵時に、車両の中心面に向かって車輪の後方のフットプリントがより小さくなる。このようにして、車輪の同じ操舵角に対して、前輪のそれぞれの後部が車両の前車部フレームと干渉することなく、比較的小さな車輪軌道、すなわち前輪間の横方向距離を用いることが可能である。
【０１１４】
したがって、車両の全体的な横方向フットプリントを縮小するように控えめな車輪軌道を用いることが可能である。縮小された前輪軌道を用いることは、傾きまたは傾斜の優れた性質を有する機敏な車両を得るのに役立つ。
【０１１５】
さらに、操舵リンク機構を前車部からさらに後退させ、したがって保護することが可能である。さらに、操舵リンク機構がさらに後方に配置され視界から外れるため、外部の観察者から隠すこともできる。
【０１１６】
さらに、操舵車軸および関連する機構／操舵レバーが長手方向に後方へ移動することによって、コーナリングと加速／制動の両方の場合において車両の力学を改善するために、いわゆる質量の集中化に寄与するように前車部の質量をさらに後退させることも可能である。
【０１１７】
加えて、路面の粗さに対応するための前車部の能力を向上させるために、本発明による前車部のばね上質量が低減されることに留意すべきである。
【０１１８】
さらに、前輪の支持構造は、長手方向と横方向の両方において極めて剛性であることに留意すべきである。
【０１１９】
実際には、横方向には、決定的に頑丈であることが証明されており車輪が同じ角度で傾くまたは傾斜することを可能にする、関節型四辺形部構造が設けられている。
【０１２０】
なお長手方向には、一方では適切な傾斜でガイドホイールに拘束され、他方では横方向の四辺形の剛性構造に拘束されるブラケットを含むため、極めて剛性の傾斜構造が使用される。このようにして、構造の傾斜によって、長手方向の力がブラケットの剛性構造に肩代わりされ、これを介して関節型四辺形部に肩代わりされる。
【０１２１】
さらに、本発明の前車部は特にコンパクトであるため、各車輪の支持機構、サスペンションおよび操舵のすべてが車輪のリムのフットプリント内に含まれることが有利である。このように、明らかな審美的利点の他に、各車輪の内側に遮蔽されるこれらのコンポーネントによって引き起こされる空力抵抗が低減されるため、力学的利点も得られる。
【０１２２】
前輪の負荷に対するバランスは対をなす前輪に等しい負荷で得られるため、説明した解決策は相互接続されたサスペンションの場合に該当する。負荷の伝達は、四辺形を介して、したがって車両全体の慣性をも含む四辺形の慣性によって行われ、したがって慣性に関連するエンティティの遅延をもたらす。
【０１２３】
実際には、対になった車輪の間に介在する慣性は、相互接続された車輪を有する解決策を独立した車輪を有する方へ動かし、快適性を優先し、他の方法では減衰されない車輪上でトリガされ得るあらゆる共振現象を打ち消すように作用する。
【０１２４】
したがって、本発明によるモータ車両は、２つの対になった前輪の存在により、２輪を有するモータ車両よりも高い安定性だけでなく、２輪のみを有するモータ車両に典型的である優れたハンドリング性と容易な傾きを保証することができる。
【０１２５】
さらに、上述したように、関節型四辺形部の直立部の上端部および下端部は、それぞれの前輪の回転ピンの上下に配置され、従来技術の解決策で生じるように完全にはその上にはない。これは、各車輪と、サスペンションを備える関節型四辺形部との間の接続の剛直さが、先行技術の前述の解決策でもたらされるよりもより剛性であり、制動力または非対称的な衝撃によって前輪の交互共振が優勢になり得る可能性をより少なくするのに役立つことを意味する。したがって、本発明は、軽量であるが安全で正確でもあり、前車部において運転者に安全感を伝える車両を提供するのに全般的に役立ち、振動やハンドルバーのわずかな動きをユーザに伝達しない。
【０１２６】
当業者は、以下の特許請求の範囲によって定義される本発明の保護の範囲内にとどまりつつ、偶発的かつ特定の要件を満たすように、上述の解決策に多くの修正および変形を行うことができる。
【図１】
2018526261.tif 000003
【図２ａ】
2018526261.tif 000004
【図２ｂ】
2018526261.tif 000005
【図２ｃ】
2018526261.tif 000006
【図２ｄ】
2018526261.tif 000007
【図３】
2018526261.tif 000008
【図４ａ】
2018526261.tif 000009
【図４ｂ】
2018526261.tif 000010
【図４ｃ】
2018526261.tif 000011
【図４ｄ】
2018526261.tif 000012
【図５】
2018526261.tif 000013
【図６ａ】
2018526261.tif 000014
【図６ｂ】
2018526261.tif 000015
【図６ｃ】
2018526261.tif 000016
【図６ｄ】
2018526261.tif 000017
【図６ｅ】
2018526261.tif 000018
【図６ｆ】
2018526261.tif 000019
【図６ｇ】
2018526261.tif 000020
【図７】
2018526261.tif 000021
【図８】
2018526261.tif 000022
【図９】
2018526261.tif 000023
【図１０】
2018526261.tif 000024
【図１１】
2018526261.tif 000025
【図１２】
2018526261.tif 000026
【国際調査報告】
2018526261.tif 000027
2018526261.tif 000028